(57)【要約】  本発明はセキュリティ情報インタラクション方法を提供するものである。前記方法において、第1のセキュリティ情報インタラクション端末が、第2のセキュリティ情報インタラクション端末との近距離無線通信方式の直接的なデータ通信に基づき、セキュリティ情報インタラクション過程を実行して電子リソースのムーブを実現する。本発明に係るセキュリティ情報インタラクション方法は、セキュリティ情報インタラクション端末の間における直接的な電子リソースのムーブ操作を行うことができ、高いセキュリティ及び信頼性を有する。
2016533552.tif 000002
【特許請求の範囲】
【請求項１】
セキュリティ情報インタラクション方法であって、
（A1）第1のセキュリティ情報インタラクション端末が、リソースムーブアウト方のセキュリティ情報インタラクションコマンドに基づき、ムーブ待ちの電子リソースの数量及びリソースムーブアウト方の電子リソース識別子という情報を含むセキュリティ情報インタラクション要求を作成し、第1の通信チャネルを介して前記セキュリティ情報インタラクション要求を第2のセキュリティ情報インタラクション端末に伝送するステップと、
（A2）前記第2のセキュリティ情報インタラクション端末が、受信した前記セキュリティ情報インタラクション要求を処理し、処理結果に基づき、リソースムーブイン方の電子リソース識別子を含むセキュリティ情報インタラクション応答を返すステップと、
（A3）前記第1のセキュリティ情報インタラクション端末が、前記セキュリティ情報インタラクション応答に基づき、第2の通信チャネルを介して第1の安全キャリアとデータ通信を行って、後続のセキュリティ情報インタラクション過程を実行するのに必要な情報を含むセキュリティ情報インタラクションメッセージを作成し、前記セキュリティ情報インタラクションメッセージをデータ処理サーバに伝送し、後続のセキュリティ情報インタラクション過程を完了して電子リソースのムーブを実現するステップとを含むセキュリティ情報インタラクション方法。
【請求項２】
前記第1の通信チャネルが近距離無線通信プロトコルに基づく通信チャネルであることを特徴とする請求項1に記載のセキュリティ情報インタラクション方法。
【請求項３】
前記第1のセキュリティ情報インタラクション端末が、前記第2の通信チャネルを介して前記第1の安全キャリアから前記後続のセキュリティ情報インタラクション過程を実行するのに必要な情報を取得することを特徴とする請求項2に記載のセキュリティ情報インタラクション方法。
【請求項４】
前記第1のセキュリティ情報インタラクション端末と前記第2のセキュリティ情報インタラクション端末がいずれも携帯端末であることを特徴とする請求項3に記載のセキュリティ情報インタラクション方法。
【請求項５】
前記ステップ（A3）は、さらに、前記データ処理サーバが、受信したセキュリティ情報インタラクションメッセージを解析し、オフライン検証及び判定操作を実行し、前記オフライン検証及び判定操作の結果が「実行待ちの電子リソースのムーブを許可する」であると、前記第1のセキュリティ情報インタラクション端末に許可応答を伝送し、さもないと前記第1のセキュリティ情報インタラクション端末に拒絶応答を伝送することを含むことを特徴とする請求項4に記載のセキュリティ情報インタラクション方法。
【請求項６】
前記ステップ（A3）は、さらに、許可応答を受信すると、前記第1のセキュリティ情報インタラクション端末が、前記第2の通信チャネルを介して前記第1の安全キャリアとデータ通信を行って、電子リソースのムーブアウトに関連する操作をオフラインで実行し且つ対応するセキュリティ情報インタラクション証明書を取得し、拒絶応答を受信すると、前記第1のセキュリティ情報インタラクション端末が、セキュリティ情報インタラクション過程を終止し且つセキュリティ情報インタラクションが失敗したことをユーザに通知することを含むことを特徴とする請求項5に記載のセキュリティ情報インタラクション方法。
【請求項７】
前記ステップ（A3）は、さらに、前記電子リソースのムーブアウトに関連する操作が実行された後、前記第1のセキュリティ情報インタラクション端末が、前記セキュリティ情報インタラクション証明書及び前記リソースムーブイン方の電子リソース識別子を含むムーブアウト操作成功応答を前記データ処理サーバに伝送することを含むことを特徴とする請求項6に記載のセキュリティ情報インタラクション方法。
【請求項８】
前記ステップ（A3）は、さらに、前記ムーブアウト操作成功応答を受信した後、前記データ処理サーバが、現在のセキュリティ情報インタラクションに関連する情報を記録して該記録の状態を「未完了」に設定し、現在のセキュリティ情報インタラクションに関連する情報を含むセキュリティ情報インタラクション応答を第1のサービスプロバイダのサーバに送信し、その後、前記データ処理サーバが前記第2のセキュリティ情報インタラクション端末にリソースムーブイン通知を送信することを含むことを特徴とする請求項7に記載のセキュリティ情報インタラクション方法。
【請求項９】
前記ステップ（A3）は、さらに、前記リソースムーブイン通知を受信した後、前記第2のセキュリティ情報インタラクション端末が、前記データ処理サーバにセキュリティ情報インタラクション記録の問い合わせ/同期要求を送信して状態が「未完了」であるセキュリティ情報インタラクション記録を取得することを含むことを特徴とする請求項8に記載のセキュリティ情報インタラクション方法。
【請求項１０】
前記ステップ（A3）は、さらに、状態が「未完了」であるセキュリティ情報インタラクション記録を取得した後、前記第2のセキュリティ情報インタラクション端末が、状態が「未完了」であるセキュリティ情報インタラクション記録に対して、少なくともリソースムーブイン方の電子リソース識別子を含む安全キャリア電子リソース同期要求を前記データ処理サーバに送信することを含むことを特徴とする請求項9に記載のセキュリティ情報インタラクション方法。
【請求項１１】
前記ステップ（A3）は、さらに、前記安全キャリア電子リソース同期要求を受信した後、前記データ処理サーバが、改竄防止保護を有するムーブイン待ちの電子リソースの数量値を含む安全キャリア電子リソース同期応答を前記第2のセキュリティ情報インタラクション端末に送信することを含むことを特徴とする請求項10に記載のセキュリティ情報インタラクション方法。
【請求項１２】
前記ステップ（A3）は、さらに、前記安全キャリア電子リソース同期応答を受信した後、前記第2のセキュリティ情報インタラクション端末が、第3の通信チャネルを介して第2の安全キャリアとデータ通信を行って電子リソースのムーブインに関連する情報を取得し、その後、電子リソースのムーブインに関連する前記情報及び前記改竄防止保護を有するムーブイン待ちの電子リソースの数量値を前記データ処理サーバに伝送することを含むことを特徴とする請求項11に記載のセキュリティ情報インタラクション方法。
【請求項１３】
前記ステップ（A3）は、さらに、前記電子リソースのムーブインに関連する情報及び前記改竄防止保護を有するムーブイン待ちの電子リソースの数量値を受信した後、前記データ処理サーバが、前記電子リソースのムーブインに関連する情報及び前記改竄防止保護を有するムーブイン待ちの電子リソースの数量値に基づき、電子リソースムーブイン要求メッセージを作成し、前記電子リソースムーブイン要求メッセージを第2のサービスプロバイダのサーバに送信することを含むことを特徴とする請求項12に記載のセキュリティ情報インタラクション方法。
【請求項１４】
前記ステップ（A3）は、さらに、前記電子リソースムーブイン要求メッセージを受信した後、前記第2のサービスプロバイダのサーバが、前記電子リソースムーブイン要求メッセージに基づき判定操作を実行し、判定操作の結果が「実行待ちの電子リソースのムーブを許可する」であると、前記電子リソースのムーブインに関連する情報から電子リソース残量値を抽出し、前記電子リソース残量値及び前記ムーブイン待ちの電子リソースの数量値に基づいて新しい電子リソース残量値を計算し、且つ前記新しい電子リソース残量値に基づき、電子リソース残量値更新スクリプトを生成し、前記電子リソース残量値更新スクリプトを前記データ処理サーバに送信することを含むことを特徴とする請求項13に記載のセキュリティ情報インタラクション方法。
【請求項１５】
前記ステップ（A3）は、さらに、前記電子リソース残量値更新スクリプトを受信した後、前記データ処理サーバがそれを前記第2のセキュリティ情報インタラクション端末に転送し、前記電子リソース残量値更新スクリプトを受信した後、前記第2のセキュリティ情報インタラクション端末がそれを前記第2の安全キャリアに転送し、前記電子リソース残量値更新スクリプトを受信した後、前記第2の安全キャリアが前記電子リソース残量値更新スクリプトを実行して電子リソース残量値を更新し且つスクリプト実行結果を前記第2のセキュリティ情報インタラクション端末に伝送することを含むことを特徴とする請求項14に記載のセキュリティ情報インタラクション方法。
【請求項１６】
前記ステップ（A3）は、さらに、スクリプト実行結果を受信した後、前記第2のセキュリティ情報インタラクション端末がそれを前記データ処理サーバに転送し、スクリプト実行結果を受信した後、前記データ処理サーバがそれを前記第2のサービスプロバイダのサーバに転送し、前記第1のセキュリティ情報インタラクション端末に電子リソースムーブ成功通知を送信することを含むことを特徴とする請求項15に記載のセキュリティ情報インタラクション方法。
【請求項１７】
前記データ処理サーバがムーブ待ちの電子リソースの数量に対して識別コードを計算し、前記識別コードとムーブ待ちの電子リソースの数量の平文を一体に組み合わせて前記改竄防止保護を有するムーブイン待ちの電子リソースの数量値を構成することを特徴とする請求項16に記載のセキュリティ情報インタラクション方法。
【発明の詳細な説明】
【技術分野】
【０００１】
本発明は情報インタラクション（interaction）方法に関し、具体的に、電子リソースムーブ（resource move）に用いられるセキュリティ情報インタラクション方法に関するものである。
【背景技術】
【０００２】
現在、ネットワーク応用（特にモバイルウェブ）がますます広くなることおよび異なる分野の業務の種類がますます多くなることに伴い、電子リソースのムーブに関連するセキュリティ情報（即ち、セキュリティに対する要求が高い情報）に関するインタラクションは、ますます重要になっている。
【０００３】
従来の電子リソースのムーブに関連するセキュリティ情報インタラクション方法は、一般的に現場オフライン形式のセキュリティ情報インタラクション（例えば金融機器によってオフライン方式で電子現金に応用する）のみに応用され、セキュリティ情報インタラクション端末（例えば携帯端末）の間における直接的な電子リソースのムーブを実現することができない。
【０００４】
従って、セキュリティ情報インタラクション端末の間における直接的な電子リソースのムーブを行うことができ、高いセキュリティ及び信頼性を有するセキュリティ情報インタラクション方法を提供するという要望がある。
【発明の概要】
【発明が解決しようとする課題】
【０００５】
上記の従来技術案に存在した問題を解決するために、本発明は、セキュリティ情報インタラクション端末の間における直接的な電子リソースのムーブを行うことができ、高いセキュリティ及び信頼性を有するセキュリティ情報インタラクション方法を提供するものである。
【課題を解決するための手段】
【０００６】
本発明の目的は以下のような技術案によって実現される。
セキュリティ情報インタラクション方法であって、
（A1）第1のセキュリティ情報インタラクション端末が、リソースムーブアウト方のセキュリティ情報インタラクションコマンドに基づき、ムーブ待ちの電子リソースの数量及びリソースムーブアウト方の電子リソース識別子という情報を含むセキュリティ情報インタラクション要求を作成し、第1の通信チャネルを介して前記セキュリティ情報インタラクション要求を第2のセキュリティ情報インタラクション端末に伝送するステップと、
（A2）前記第2のセキュリティ情報インタラクション端末が、受信した前記セキュリティ情報インタラクション要求を処理し、処理結果に基づき、リソースムーブイン方の電子リソース識別子を含むセキュリティ情報インタラクション応答を返すステップと、
（A3）前記第1のセキュリティ情報インタラクション端末が、前記セキュリティ情報インタラクション応答に基づき、第2の通信チャネルを介して第1の安全キャリアとデータ通信を行って、後続のセキュリティ情報インタラクション過程を実行するのに必要な情報を含むセキュリティ情報インタラクションメッセージを作成し、前記セキュリティ情報インタラクションメッセージをデータ処理サーバに伝送し、後続のセキュリティ情報インタラクション過程を完了して電子リソースのムーブを実現するステップとを含む。
【０００７】
上記の技術案において、好ましくは、前記第1の通信チャネルが近距離無線通信プロトコルに基づく通信チャネルである。
【０００８】
上記の技術案において、好ましくは、前記第1のセキュリティ情報インタラクション端末が、前記第2の通信チャネルを介して前記第1の安全キャリアから後続のセキュリティ情報インタラクション過程を実行するのに必要な情報を取得する。
【０００９】
上記の技術案において、好ましくは、前記第1のセキュリティ情報インタラクション端末と前記第2のセキュリティ情報インタラクション端末がいずれも携帯端末である。
【００１０】
上記の技術案において、好ましくは、前記ステップ（A3）は、さらに、前記データ処理サーバが、受信したセキュリティ情報インタラクションメッセージを解析し、オフライン検証及び判定操作を実行し、前記オフライン検証及び判定操作の結果が「実行待ちの電子リソースのムーブを許可する」であると、前記第1のセキュリティ情報インタラクション端末に許可応答を伝送し、さもないと、前記第1のセキュリティ情報インタラクション端末に拒絶応答を伝送することを含む。
【００１１】
上記の技術案において、好ましくは、前記ステップ（A3）は、さらに、許可応答を受信すると、前記第1のセキュリティ情報インタラクション端末が、前記第2の通信チャネルを介して前記第1の安全キャリアとデータ通信を行って、電子リソースのムーブアウトに関連する操作をオフラインで実行し且つ対応するセキュリティ情報インタラクション証明書を取得し、拒絶応答を受信すると、前記第1のセキュリティ情報インタラクション端末が、セキュリティ情報インタラクション過程を終止し且つセキュリティ情報インタラクションが失敗したことをユーザに通知することを含む。
【００１２】
上記の技術案において、好ましくは、前記ステップ（A3）は、さらに、電子リソースのムーブアウトに関連する操作が実行された後、前記第1のセキュリティ情報インタラクション端末が、前記セキュリティ情報インタラクション証明書及び前記リソースムーブイン方の電子リソース識別子を含むムーブアウト操作成功応答を前記データ処理サーバに伝送することを含む。
【００１３】
上記の技術案において、好ましくは、前記ステップ（A3）は、さらに、前記ムーブアウト操作成功応答を受信した後、前記データ処理サーバが、現在のセキュリティ情報インタラクションに関連する情報を記録して該記録の状態を「未完了」に設定し、現在のセキュリティ情報インタラクションに関連する情報を含むセキュリティ情報インタラクション応答を第1のサービスプロバイダのサーバに送信し、その後、前記データ処理サーバが前記第2のセキュリティ情報インタラクション端末にリソースムーブイン通知を送信することを含む。
【００１４】
上記の技術案において、好ましくは、前記ステップ（A3）は、さらに、前記リソースムーブイン通知を受信した後、前記第2のセキュリティ情報インタラクション端末が、前記データ処理サーバにセキュリティ情報インタラクション記録の問い合わせ/同期要求を送信して状態が「未完了」であるセキュリティ情報インタラクション記録を取得することを含む。
【００１５】
上記の技術案において、好ましくは、前記ステップ（A3）は、さらに、状態が「未完了」であるセキュリティ情報インタラクション記録を取得した後、前記第2のセキュリティ情報インタラクション端末が、状態が「未完了」であるセキュリティ情報インタラクション記録に対して、少なくともリソースムーブイン方の電子リソース識別子を含む安全キャリア電子リソース同期要求を前記データ処理サーバに送信することを含む。
【００１６】
上記の技術案において、好ましくは、前記ステップ（A3）は、さらに、前記安全キャリア電子リソース同期要求を受信した後、前記データ処理サーバが、改竄防止保護を有するムーブイン待ちの電子リソースの数量値を含む安全キャリア電子リソース同期応答を前記第2のセキュリティ情報インタラクション端末に送信することを含む。
【００１７】
上記の技術案において、好ましくは、前記ステップ（A3）は、さらに、前記安全キャリア電子リソース同期応答を受信した後、前記第2のセキュリティ情報インタラクション端末が、第3の通信チャネルを介して第2の安全キャリアとデータ通信を行って電子リソースのムーブインに関連する情報を取得し、その後、前記電子リソースのムーブインに関連する情報及び前記改竄防止保護を有するムーブイン待ちの電子リソースの数量値を前記データ処理サーバに伝送することを含む。
【００１８】
上記の技術案において、好ましくは、前記ステップ（A3）は、さらに、前記電子リソースのムーブインに関連する情報及び前記改竄防止保護を有するムーブイン待ちの電子リソースの数量値を受信した後、前記データ処理サーバが、電子リソースのムーブインに関連する前記情報及び前記改竄防止保護を有するムーブイン待ちの電子リソースの数量値に基づき、電子リソースムーブイン要求メッセージを作成し、前記電子リソースムーブイン要求メッセージを第2のサービスプロバイダのサーバに送信することを含む。
【００１９】
上記の技術案において、好ましくは、前記ステップ（A3）は、さらに、前記電子リソースムーブイン要求メッセージを受信した後、前記第2のサービスプロバイダのサーバが、前記電子リソースムーブイン要求メッセージに基づき判定操作を実行し、判定操作の結果が「実行待ちの電子リソースのムーブを許可する」であると、前記電子リソースのムーブインに関連する情報から電子リソース残量値を抽出し、前記電子リソース残量値及び前記ムーブイン待ちの電子リソースの数量値に基づいて新しい電子リソース残量値を計算し、且つ前記新しい電子リソース残量値に基づき、電子リソース残量値更新スクリプトを生成し、前記電子リソース残量値更新スクリプトを前記データ処理サーバに送信することを含む。
【００２０】
上記の技術案において、好ましくは、前記ステップ（A3）は、さらに、前記電子リソース残量値更新スクリプトを受信した後、前記データ処理サーバがそれを前記第2のセキュリティ情報インタラクション端末に転送し、前記電子リソース残量値更新スクリプトを受信した後、前記第2のセキュリティ情報インタラクション端末がそれを前記第2の安全キャリアに転送し、前記電子リソース残量値更新スクリプトを受信した後、前記第2の安全キャリアが前記電子リソース残量値更新スクリプトを実行して電子リソース残量値を更新し且つスクリプト実行結果を前記第2のセキュリティ情報インタラクション端末に伝送することを含む。
【００２１】
上記の技術案において、好ましくは、前記ステップ（A3）は、さらに、スクリプト実行結果を受信した後、前記第2のセキュリティ情報インタラクション端末がそれを前記データ処理サーバに転送し、スクリプト実行結果を受信した後、前記データ処理サーバがそれを前記第2のサービスプロバイダのサーバに転送し、前記第1のセキュリティ情報インタラクション端末に電子リソースムーブ成功通知を送信することを含む。
上記の技術案において、好ましくは、前記データ処理サーバがムーブ待ちの電子リソースの数量に対して識別コードを計算し、前記識別コードとムーブ待ちの電子リソースの数量の平文を一体に組み合わせて前記改竄防止保護を有するムーブイン待ちの電子リソースの数量値を構成する。
【発明の効果】
【００２２】
本発明に係るセキュリティ情報インタラクション方法は、（1）セキュリティ情報インタラクション端末（特に携帯端末）の間における直接的な電子リソースのムーブ操作を行うことができ、（2）高いセキュリティ及び信頼性を有するというメリットを有する。
【図面の簡単な説明】
【００２３】
本発明の技術的特徴及びメリットが当業者によりよく理解してもらうために、図を参照する。
【図１】図1は本発明の実施例に係るセキュリティ情報インタラクション方法のフロー図である。
【発明を実施するための形態】
【００２４】
図1は本発明の実施例に係るセキュリティ情報インタラクション方法のフロー図である。図1に示すように、本発明に係るセキュリティ情報インタラクション方法は、（A1）第1のセキュリティ情報インタラクション端末が、リソースムーブアウト方（例えば支払い取引の支払方）のセキュリティ情報インタラクションコマンドに基づき、ムーブ待ちの電子リソースの数量（例えば取引金額）及びリソースムーブアウト方の電子リソース識別子（例えば支払方の電子現金アカウント番号）という情報を含むセキュリティ情報インタラクション要求を作成し、第1の通信チャネルを介して前記セキュリティ情報インタラクション要求を第2のセキュリティ情報インタラクション端末に伝送するステップと、（A2）前記第2のセキュリティ情報インタラクション端末が、受信した前記セキュリティ情報インタラクション要求を処理し、処理結果に基づき、リソースムーブイン方の電子リソース識別子（例えば受取方の電子現金アカウント番号）を含むセキュリティ情報インタラクション応答を返すステップと、（A3）前記第1のセキュリティ情報インタラクション端末が、前記セキュリティ情報インタラクション応答に基づき、第2の通信チャネルを介して第1の安全キャリア（即ち、セキュリティ情報インタラクション過程を実行するためのセキュリティアプリケーションを記憶して実行することができるキャリアであり、例えばSIMカード、スマートSDカード等）とデータ通信を行って、後続のセキュリティ情報インタラクション過程を実行するのに必要な情報（例えば第1の安全キャリアにおける電子現金アプリケーションデータ）を含むセキュリティ情報インタラクションメッセージを作成し、前記セキュリティ情報インタラクションメッセージをデータ処理サーバ（例えば金融分野の支払いプラットフォーム）に伝送し、後続のセキュリティ情報インタラクション過程を完了して電子リソースのムーブを実現するステップとを含む。
【００２５】
好ましくは、本発明に係るセキュリティ情報インタラクション方法において、前記第1の通信チャネルが近距離無線通信プロトコル（例えばNFCプロトコル）に基づく通信チャネルである。
【００２６】
好ましくは、本発明に係るセキュリティ情報インタラクション方法において、前記第1のセキュリティ情報インタラクション端末が、前記第2の通信チャネルを介して前記第1の安全キャリア（即ち、リソースムーブアウト方の安全キャリア）から後続のセキュリティ情報インタラクション過程を実行するのに必要な前記情報（例えば第1の安全キャリアにおける電子現金アプリケーションデータ）を取得する。
【００２７】
例示的に、本発明に係るセキュリティ情報インタラクション方法において、前記第1のセキュリティ情報インタラクション端末と前記第2のセキュリティ情報インタラクション端末がいずれも携帯端末（例えば携帯電話）である。
【００２８】
好ましくは、本発明に係るセキュリティ情報インタラクション方法において、前記ステップ（A3）は、さらに、前記データ処理サーバが受信したセキュリティ情報インタラクションメッセージを解析し、オフライン検証及び判定操作を実行し、前記オフライン検証及び判定操作の結果が「実行待ちの電子リソースのムーブを許可する」であると、前記第1のセキュリティ情報インタラクション端末に許可応答を伝送し、さもないと前記第1のセキュリティ情報インタラクション端末に拒絶応答を伝送することを含む。
【００２９】
好ましくは、本発明に係るセキュリティ情報インタラクション方法において、前記ステップ（A3）は、さらに、許可応答を受信すると、前記第1のセキュリティ情報インタラクション端末が、前記第2の通信チャネルを介して前記第1の安全キャリアとデータ通信を行って、電子リソースのムーブアウトに関連する操作（例えばオフライン差し引き）をオフラインで実行し且つ対応するセキュリティ情報インタラクション証明書を取得し、拒絶応答を受信すると、前記第1のセキュリティ情報インタラクション端末が、セキュリティ情報インタラクション過程を終止し且つセキュリティ情報インタラクションが失敗したことをユーザに通知することを含む。
【００３０】
好ましくは、本発明に係るセキュリティ情報インタラクション方法において、前記ステップ（A3）は、さらに、電子リソースのムーブアウトに関連する前記操作が実行された後、前記第1のセキュリティ情報インタラクション端末が、前記セキュリティ情報インタラクション証明書及び前記リソースムーブイン方の電子リソース識別子（例えば受取方の電子現金アカウント番号）を含むムーブアウト操作成功応答を前記データ処理サーバに伝送することを含む。
【００３１】
好ましくは、本発明に係るセキュリティ情報インタラクション方法において、前記ステップ（A3）は、さらに、前記ムーブアウト操作成功応答を受信した後、前記データ処理サーバが、現在のセキュリティ情報インタラクションに関連する情報（例えば現在の取引情報）を記録して該記録の状態を「未完了」に設定し、現在のセキュリティ情報インタラクションに関連する情報（例えば現在の取引情報）を含むセキュリティ情報インタラクション応答を第1のサービスプロバイダのサーバ（例えば支払方のカード発行機構）に送信し、その後、前記データ処理サーバが前記第2のセキュリティ情報インタラクション端末にリソースムーブイン通知を送信する（例えばショートメッセージの形式でアカウントムーブイン通知を送信する）ことを含む。
【００３２】
好ましくは、本発明に係るセキュリティ情報インタラクション方法において、前記ステップ（A3）は、さらに、前記リソースムーブイン通知を受信した後、前記第2のセキュリティ情報インタラクション端末が、前記データ処理サーバにセキュリティ情報インタラクション記録の問い合わせ/同期要求を送信して状態が「未完了」であるセキュリティ情報インタラクション記録を取得することを含む。
【００３３】
好ましくは、本発明に係るセキュリティ情報インタラクション方法において、前記ステップ（A3）は、さらに、状態が「未完了」であるセキュリティ情報インタラクション記録を取得した後、前記第2のセキュリティ情報インタラクション端末が、状態が「未完了」であるセキュリティ情報インタラクション記録に対して、少なくともリソースムーブイン方の電子リソース識別子を含む安全キャリア電子リソース同期要求（例えばスマートカード電子現金残高の同期取引要求）を前記データ処理サーバに送信することを含む。
【００３４】
好ましくは、本発明に係るセキュリティ情報インタラクション方法において、前記ステップ（A3）は、さらに、前記安全キャリア電子リソース同期要求を受信した後、前記データ処理サーバが、前記改竄防止保護を有するムーブイン待ちの電子リソースの数量値（例えばムーブイン金額情報）を含む安全キャリア電子リソース同期応答を前記第2のセキュリティ情報インタラクション端末に送信することを含む。
【００３５】
好ましくは、本発明に係るセキュリティ情報インタラクション方法において、前記ステップ（A3）は、さらに、前記安全キャリア電子リソース同期応答を受信した後、前記第2のセキュリティ情報インタラクション端末が、第3の通信チャネルを介して第2の安全キャリア（即ち、リソースムーブイン方の安全キャリア）とデータ通信を行って、電子リソースのムーブインに関連する情報（例えば第2の安全キャリアにおける電子現金アプリケーションのデータ及び残高）を取得し、その後、前記電子リソースのムーブインに関連する情報及び前記改竄防止保護を有するムーブイン待ちの電子リソースの数量値を前記データ処理サーバに伝送することを含む。
【００３６】
好ましくは、本発明に係るセキュリティ情報インタラクション方法において、前記ステップ（A3）は、さらに、前記電子リソースのムーブインに関連する情報及び前記改竄防止保護を有するムーブイン待ちの電子リソースの数量値を受信した後、前記データ処理サーバが、前記電子リソースのムーブインに関連する情報及び前記改竄防止保護を有するムーブイン待ちの電子リソースの数量値に基づき、電子リソースムーブイン要求メッセージを作成し、前記電子リソースムーブイン要求メッセージを第2のサービスプロバイダのサーバ（例えば受取方のカード発行機構）に送信することを含む。
【００３７】
好ましくは、本発明に係るセキュリティ情報インタラクション方法において、前記ステップ（A3）は、さらに、前記電子リソースムーブイン要求メッセージを受信した後、前記第2のサービスプロバイダのサーバが、前記電子リソースムーブイン要求メッセージに基づき判定操作を実行し、判定操作の結果が「実行待ちの電子リソースのムーブを許可する」であると、前記電子リソースのムーブインに関連する情報から電子リソース残量値（例えば電子現金残高）を抽出し、前記電子リソース残量値及び前記ムーブイン待ちの電子リソースの数量値に基づいて新しい電子リソース残量値（それは電子リソース残量値とムーブイン待ちの電子リソースの数量値の和であり、例えば新しい電子現金残高）を計算し、且つ前記新しい電子リソース残量値に基づき、電子リソース残量値更新スクリプトを生成し、前記電子リソース残量値更新スクリプトを前記データ処理サーバに送信することを含む。
【００３８】
好ましくは、本発明に係るセキュリティ情報インタラクション方法において、前記ステップ（A3）は、さらに、前記電子リソース残量値更新スクリプトを受信した後、前記データ処理サーバがそれを前記第2のセキュリティ情報インタラクション端末に転送し、前記電子リソース残量値更新スクリプトを受信した後、前記第2のセキュリティ情報インタラクション端末がそれを前記第2の安全キャリアに転送し、前記電子リソース残量値更新スクリプトを受信した後、前記第2の安全キャリアが前記電子リソース残量値更新スクリプトを実行して電子リソース残量値を更新し（即ち、前記新しい電子リソース残量値を現在の有効な電子リソース残量値とする）且つスクリプト実行結果を前記第2のセキュリティ情報インタラクション端末に伝送することを含む。
【００３９】
好ましくは、本発明に係るセキュリティ情報インタラクション方法において、前記ステップ（A3）は、さらに、スクリプト実行結果を受信した後、前記第2のセキュリティ情報インタラクション端末がそれを前記データ処理サーバに転送し、スクリプト実行結果を受信した後、前記データ処理サーバがそれを前記第2のサービスプロバイダのサーバに転送し、前記第1のセキュリティ情報インタラクション端末に電子リソースムーブ成功通知を送信する（例えばショートメッセージの形式で取引成功結果通知を送信する）ことを含む。
【００４０】
好ましくは、本発明に係るセキュリティ情報インタラクション方法において、前記データ処理サーバがムーブ待ちの電子リソースの数量に対して識別コードを計算し、前記識別コードとムーブ待ちの電子リソースの数量の平文を一体に組み合わせて前記改竄防止保護を有するムーブイン待ちの電子リソースの数量値を構成する。
【００４１】
以上のように、本発明に係るセキュリティ情報インタラクション方法は、（1）セキュリティ情報インタラクション端末（特に携帯端末）の間における直接的な電子リソースのムーブ操作を行うことができ、（2）高いセキュリティ及び信頼性を有するというメリットを有する。
【００４２】
本発明は上記の好ましい実施形態により記載されているが、その実現形式は上記の実施形態に限らない。本発明の主旨と範囲を逸脱しない場合、当業者は本発明に対し異なる変更と補正を行うことができることに注意されたい。
【図１】
2016533552.tif 000003
【国際調査報告】
2016533552.tif 000004
2016533552.tif 000005
2016533552.tif 000006
2016533552.tif 000007